(57)【要約】    【課題】  絞り込み動作および復帰動作における消費電力を増加させることなく、撮影のコマ速を上げることができるカメラの絞り機構を提供する。    【解決手段】  伝達レバー２１６は、撮影レンズ２の絞りレバー３を駆動する絞り連動レバー３２３に当接されて、撮影レンズ２の絞りの状態を絞り機構２００に伝達する。伝達レバーバネ２１１は、伝達レバー２１６に直接当接して、伝達レバー２１６の下端部２１６ｂが絞り連動レバー３２３のレバー当接部３２３ｃの背面側端面に当接するように伝達レバー２１６に対して付勢力を与える。このように構成することより、リセット動作における伝達レバー２１６の下端部２１６ｂと、絞り連動レバー３２３のレバー当接部３２３ｃの背面側端面との離間と衝突により生じるバウンドを防止できるので、絞り込み動作および復帰動作における消費電力を増加させることなく、撮影のコマ速を上げることができる。【選択図】      図６
2006227524.tif 000002
【特許請求の範囲】
【請求項１】
レンズの絞りを駆動する絞り駆動部材と、
前記絞りの状態を検出する検出手段と、
前記絞り駆動部材に当接されて前記絞りの状態を前記検出手段に伝達する伝達部材と、
前記伝達部材に当接して、前記伝達部材を前記絞り駆動部材に付勢する付勢部材とを備えることを特徴とするカメラの絞り機構。
【請求項２】
請求項１に記載のカメラの絞り機構において、
前記付勢部材は、互いに当接する前記絞り駆動部材と前記伝達部材との離間を抑制するように、前記伝達部材を前記絞り駆動部材に付勢することを特徴とするカメラの絞り機構。
【請求項３】
請求項１または請求項２に記載のカメラの絞り機構において、
前記付勢部材は、前記伝達部材に一端が当接し、前記伝達部材が往復動可能に取り付けられる基板に他端が当接することで、前記伝達部材の前記基板に対する往復動の一方向に前記伝達部材を付勢することを特徴とするカメラの絞り機構。
【発明の詳細な説明】
【技術分野】
【０００１】
本発明は、レンズ絞りを駆動するカメラの絞り機構に関する。
【背景技術】
【０００２】
カメラ等に使用される絞り制御装置では、レンズに設けられた絞りを駆動するカメラ側の絞り駆動レバーの駆動量をギヤ列により増速・拡大し、ギヤの回転数としてフォトカプラ等により検出する。そしてこの検出値が所定の値となったとき、ギヤ列に対して制動をかけて当該ギヤ列とギヤ列に連動している絞り駆動レバーを停止させることで所望の絞り値を得る。この絞り制御装置では、増速されたギヤ列の慣性モーメントのため、撮影終了後の絞りの開放側復帰時、ギヤ列に連動している絞り駆動レバーが絞り駆動レバーを開放側で制限する部材と衝突して、当該当接部との間でバウンドが発生する。この問題を解決するために、ギヤ列の少なくとも１つのギヤに制動力を付与する制限部材を設けている（特許文献１参照）。
【０００３】
【特許文献１】特開平９−１３３９５３号公報
【発明の開示】
【発明が解決しようとする課題】
【０００４】
しかしながらこの方式では、ギヤの回転を常に制動するため、消費電力が増えるとともに、撮影のコマ速をある程度以上には上げられなかった。
【課題を解決するための手段】
【０００５】
（１）  請求項１の発明によるカメラの絞り機構は、レンズの絞りを駆動する絞り駆動部材と、絞りの状態を検出する検出手段と、絞り駆動部材に当接されて絞りの状態を検出手段に伝達する伝達部材と、伝達部材に当接して、伝達部材を絞り駆動部材に付勢する付勢部材とを備えることを特徴とする。
（２）  請求項２の発明は、請求項１に記載のカメラの絞り機構において、付勢部材は、互いに当接する絞り駆動部材と伝達部材との離間を抑制するように、伝達部材を絞り駆動部材に付勢することを特徴とする。
（３）  請求項３の発明は、請求項１または請求項２に記載のカメラの絞り機構において、付勢部材は、伝達部材に一端が当接し、伝達部材が往復動可能に取り付けられる基板に他端が当接することで、伝達部材の基板に対する往復動の一方向に伝達部材を付勢することを特徴とする。
【発明の効果】
【０００６】
絞り駆動部材に当接されて絞りの状態を検出手段に伝達する伝達部材と、伝達部材に当接して、伝達部材を絞り駆動部材に付勢する付勢部材とを備えるように構成した。これにより、絞り駆動部材と伝達部材との離間と衝突により生じるバウンドを抑制できるので、絞り込み動作および復帰動作における消費電力を増加させることなく、撮影のコマ速を上げることができる。
【発明を実施するための最良の形態】
【０００７】
図１〜１２を参照して、本発明によるカメラの絞り機構の一実施の形態を説明する。図１は、本発明によるカメラの絞り機構を適用したカメラである一眼レフタイプのカメラボディ１とカメラボディ１に装着する撮影レンズ２を示した斜視図である。なお、本実施の形態では、銀塩フィルムを用いる銀塩カメラを例に説明するが、銀塩カメラに限らず、ＣＣＤなどの固体撮像素子を用いた電子カメラであってもよい。カメラボディ１にはレリーズボタン４と、カメラボディ１の各部を制御する制御回路１０１とが設けられている。３０１は、撮影レンズ２からの被写体像をフィルム５に導くための撮影光路である。カメラボディ１に撮影レンズ２を装着すると、レンズ側絞りレバー３とカメラ側の絞り連動レバー３２３の当接部３２３ａとが当接する。レンズ側絞りレバー３は、カメラ側の絞り連動レバー３２３により駆動されて所定の絞り値に制御される。なお、本実施の形態では、撮影レンズ２が取り付けられるカメラボディ１の前方を正面と呼び、フィルム５が設けられるカメラボディ１の後方を背面と呼ぶ。また、カメラボディ１の上下左右方向を各図に記載したように規定する。
【０００８】
−−−ミラーボックス３００−−−
図２は、カメラボディ１に組み込まれるミラーボックス、絞り機構、およびシャッタ機構を示す分解図である。なお、図２では、互いに当接する部材の当接状態を説明するために、一部の部材については図示上下左右方向の長さが誇張されている（リセットレバー２０８、伝達レバー２１６、シーケンス駆動レバー２１８）。また、互いに当接すべき部分が左右方向にずれて記載されている部材もある（突起部２０８ｄ、突起２１８ｃ）。したがって、図２に図示された状態と後述する説明とで食い違う点については、後述する説明によるものとする。
【０００９】
図３，４はミラーボックスおよびシャッタ機構を側面から見た図である。なお、図３は、撮影開始前の状態（ミラーダウン状態）を示す図であり、図４は、レリーズ後の状態（ミラーアップ状態）を示す図である。ミラーボックス３００の内部にはメインミラー３２１が設けられている。ミラーボックス３００の側面には軸３２６，３３２が設けられ、絞り連動レバー３２３と、シャッタチャージレバー３２４と、絞り駆動レバー３２５とが軸３２６に回動可能に取り付けられ、ミラーアップレバー３４２が軸３３２に回動可能に取り付けられている。さらにミラーボックス３００には、後述する絞り制御機構２００とシャッタ機構４００とが取り付けられる（図２）。
【００１０】
メインミラー３２１は、撮影光路中３０１にあって不図示のファインダーに被写体像を導くダウン姿勢と、撮影光路３０１から退避してフィルム５に被写体像を導くアップ姿勢との２姿勢の間で駆動される。メインミラー３２１は、ミラー支軸３２１ａを介してミラーボックス３００に回動可能に支持され、ミラーダウンバネ３２２により、図示時計方向の付勢力を受け、ダウン姿勢である略４５度の傾斜位置（ミラーダウン位置）に不図示のミラー受けで保持される。メインミラー３２１と一体に設けられたミラー駆動ピン３２１ｂは、後述するミラーアップレバー３４２で駆動されることにより、メインミラー３２１をミラーダウン位置からアップ姿勢（ミラーアップ位置）まで反時計方向に跳ね上げる。ミラーダウンバネ３２２は、一端がシャッタチャージレバー３２４に係止され、他端がメインミラー３２１のミラー駆動ピン３２１ｂに係止されて、上述のように、メインミラー３２１に図示時計方向の付勢力を与える。
【００１１】
絞り連動レバー３２３は、カメラボディに取り付けられた撮影レンズ２の絞りレバー３を当接部３２３ａで駆動して、撮影レンズ２の絞りを所定の絞り値に制御するレバーであり、絞り駆動バネ３２７によって図示時計方向に付勢されている。絞り連動レバー３２３は、撮影開始前のミラーダウン状態ではレバー当接部３２３ｂが絞り駆動レバー３２５のレバー当接部３２５ａと当接することで、図示時計方向への旋回（右旋）が規制されて、撮影レンズ２の絞りを開放状態とする角度位置に保持される。また、ミラーアップ過程の絞り制御時には、絞り連動レバー３２３は、レバー当接部３２３ｃが後述する絞り機構２００の伝達レバーに当接することで、撮影レンズ２の絞りを所定の絞り値とする角度位置に保持される。
【００１２】
絞り駆動レバー３２５は、絞り連動レバー３２３を駆動するレバーであり、絞り連動レバー３２３と絞り駆動バネ３２７で結合されるとともに、ミラーボックス３００と絞り戻しバネ３２８で結合されている。後述するシーケンス駆動レバー２１８の先端部２１８ｂが図３において左方向に駆動されると、絞り駆動レバー３２５は、シーケンス駆動レバー２１８の先端部２１８ｂによって図示時計方向に旋回されて、絞り駆動バネ３２７を介して絞り連動レバー３２３を絞り込み方向（図示時計方向）に駆動する。また、シーケンス駆動レバー２１８の先端部２１８ｂが図４において右方向に駆動されると、絞り駆動レバー３２５は、レバー当接部３２５ａに当接した絞り連動レバー３２３とともに絞り戻しバネ３２８によって絞り開放方向（図示反時計方向）に復帰される。
【００１３】
シャッタチャージレバー３２４は、後述するシャッタ機構４００をチャージするとともに、ミラーアップレバー３４２を駆動するレバーであり、シャッタ駆動端３２４ａとミラーアップレバー駆動ピン３２４ｂとを有する。ミラーアップレバー３４２は、メインミラー３２１をミラーアップするレバーであり、ミラー駆動端３４２ａと長穴３４２ｂとを有する。ミラーアップレバー３４２の長穴３４２ｂには、シャッタチャージレバー３２４のミラーアップレバー駆動ピン３２４ｂが挿入されている。
【００１４】
シャッタチャージレバー３２４は、ミラーアップバネ３３１によって図３において図示時計方向に付勢されるとともに、後述するシーケンス駆動レバー２１８の先端部２１８ｂによって図示時計方向への回動位置が規制されている。シーケンス駆動レバー２１８の先端部２１８ｂが図３において左方向に駆動されると、シャッタチャージレバー３２４は、ミラーアップバネ３３１によって図示時計方向に旋回して、ミラーアップレバー駆動ピン３２４ｂで軸３３２を中心にミラーアップレバー３４２を図示時計方向に駆動する。これにより、ミラーアップレバー３４２は、ミラー駆動端３４２ａでミラー駆動ピン３２１ｂを駆動して、メインミラー３２１をミラーダウン位置から反時計方向に跳ね上げる。
【００１５】
シーケンス駆動レバー２１８の先端部２１８ｂが図４において右方向に駆動されると、シャッタチャージレバー３２４は、ミラーアップバネ３３１の付勢力に抗して、シーケンス駆動レバー２１８の先端部２１８ｂによって図示反時計方向に旋回される。シャッタチャージレバー３２４の図示反時計方向の旋回によって、上述とは逆にミラーアップレバー３４２が図示反時計方向に旋回されるとともに、ミラーダウンバネ３２２がミラー駆動ピン３２１ｂを下方に駆動して、メインミラー３２１をミラーダウン位置まで図示時計方向に駆動する。また、シャッタチャージレバー３２４の図示反時計方向の旋回によって、シャッタ駆動端３２４ａが下方に駆動されてシャッタ機構４００をチャージする。
【００１６】
−−−絞り制御機構２００−−−
図５は、絞り機構２００を示す斜視図である。絞り機構２００は、各部品が配設された制御基板２３０と駆動基板２９０とから構成される。制御基板２３０には、自己保持型ソレノイド１０と、係止レバー５０と、ラチェット２０７と、エンコーダギヤ２１０と、フォトインタラプタ１１７と、第２増速ギヤ２１２と、第１増速ギヤ２１３と、スラック取りギヤ２３５と、スラック取りバネ２３６とが配設されている。駆動基板２９０には、上述の制御基板２３０と、リセットレバー２０８と、リセットレバー戻しバネ２１４と、伝達レバー２１６と、伝達レバーバネ２１１と、シーケンス駆動レバー２１８と、カム２２０と、蓋基板２５０とが配設されている（図２，５）。
【００１７】
図６（ａ），（ｂ）〜図８（ａ），（ｂ）は、カメラボディ１の左側から右側に向かって見たときの制御基板２３０の構造を示す図であり、図６（ａ）〜図８（ａ）は制御基板２３０の左側側面を示し、図６（ｂ）〜図８（ｂ）は駆動基板２９０の左側側面を示す。図６（ａ）に示すように、自己保持型ソレノイド１０は、挿入された可動鉄心２０を永久磁石で吸着して保持するとともに、励磁コイルに通電されることによって可動鉄心２０を離脱可能に釈放する公知のコンビネーションマグネットである。自己保持型ソレノイドから露出している可動鉄心２０の端部には、円周方向の溝である係合溝部２２が設けられている。この係合溝部２２は、係止レバー５０の切り欠き部５１と係合する（図２，図６（ａ））。
【００１８】
係止レバー５０は、一端に設けられたＵ字型の切り欠き部５１を可動鉄心２０の係合溝部２２と係合させた状態で、制御基板２３０に設けられた軸２３１に回動可能に軸支される。係止レバー５０の他端には、ラチェット２０７に係合する爪５３が形成されている。係止レバー５０には、ねじりバネ２０６によって爪５３がラチェット２０７に係合する方向（左回転方向）に付勢力が与えられている。なお、後述するリセットレバー２０８と当接できるように、切り欠き部５１の両側の部材のうち一方は他方より長く伸びた腕５４を形成している。
【００１９】
自己保持型ソレノイド１０が可動鉄心２０を吸着した状態では、図６（ａ）に示すように、係合溝部２２で係合している係止レバー５０は、ねじりバネ２０６の付勢力に抗して右旋している。自己保持型ソレノイド１０の励磁コイルが励磁されると、永久磁石に吸着されていた可動鉄心２０が釈放され、ねじりバネ２０６の付勢力によって係止レバー５０は左回転方向に回転して、図７（ａ）に示すように、爪５３がラチェット２０７を係止する。
【００２０】
第１増速ギヤ２１３および第２増速ギヤ２１２は、それぞれ歯数の少ない小ギヤ部２１２ａ，２１３ａと、歯数の多い大ギヤ部２１２ｂ，２１３ｂとを有する。エンコーダギヤ２１０は、円盤２１０ａと、円盤２１０ａの表裏面にそれぞれ設けられた第１ギヤ２１０ｂおよび第２ギヤ２１０ｃとを有する（図５）。円盤２１０ａには小穴２１０ｄが複数設けられている。ラチェット２０７は、エンコーダギヤ２１０と同軸であってエンコーダギヤ２１０とともに回転するように配設されている。フォトインタラプタ１１７は、エンコーダギヤ２１０の回転量を検知するセンサであり、エンコーダギヤ２１０の円盤２１０ａを挟み込むように配設されて、円盤２１０ａの小穴２１０ｄの通過を検出してパルス信号を制御回路１０１に出力する。エンコーダギヤ２１０の回転量は、フォトインタラプタ１１７から出力されるパルス信号の計数値に比例する。
【００２１】
図５，図６（ａ），（ｂ）に示すように、後述する伝達レバー２１６の上端部に設けられた扇形ギヤ部２１６ａは、第１増速ギヤ２１３の小ギヤ部２１３ａと噛合し、第１増速ギヤ２１３の大ギヤ部２１３ｂは、第２増速ギヤ２１２の小ギヤ部２１２ａと噛合し、第２増速ギヤ２１２の大ギヤ部２１２ｂは、エンコーダギヤ２１０の第１ギヤ２１０ｂと噛合する。すなわち、第１増速ギヤ２１３および第２増速ギヤ２１２は、駆動基板２９０に配設された伝達レバー２１６の動きを増速して、エンコーダギヤ２１０とともに回転するラチェット２０７に伝達する役割を果たしている。
【００２２】
このように、伝達レバー２１６、第１増速ギヤ２１３、第２増速ギヤ２１２，およびエンコーダギヤ２１０により増速ギヤ列が構成されている。伝達レバー２１６の旋回量は、この増速ギヤ列によって拡大されて、エンコーダギヤ２１０の回転量としてフォトインタラプタ１１７から出力されるパルス信号数として上述のように制御回路１０１に入力される。
【００２３】
スラック取りギヤ２３５およびスラック取りバネ２３６は、上述した増速ギヤ列のバックラッシュに起因するがたつきを抑制するために、上述した増速ギヤ列に付勢力を与える部材である。スラック取りギヤ２３５は、スラック取りバネ２３６によって図５において図示時計方向に付勢され、第２ギヤ２１０ｃと噛合してエンコーダギヤ２１０を図示反時計方向に付勢している。なお、図５において、スラック取りバネ２３６の付勢力によって、第２増速ギヤ２１２は図示時計方向に付勢され、第１増速ギヤ２１３は図示反時計方向に付勢され、伝達レバー２１６は図示時計方向に付勢されている。
【００２４】
伝達レバー２１６は、撮影レンズ２の絞り値を絞り機構２００で検出するために絞り連動レバー３２３の駆動量を伝達するレバーであり、ビス２１７によって駆動基板２９０に取り付けられ、ビス２１７の中心と同軸に回動可能である。図６（ｂ）に示すように、伝達レバー２１６の上端部に設けられた扇形ギヤ部２１６ａは、上述のように第１増速ギヤ２１３の小ギヤ部２１３ａと噛合している。伝達レバー２１６の下端部２１６ｂは、ミラーボックス３００に設けられた絞り連動レバー３２３のレバー当接部３２３ｃの背面側の端面と当接し、絞り連動レバー３２３と連動して駆動される（図５）。すなわち、撮影レンズ２の絞り値を規定する絞り連動レバー３２３の駆動量は、伝達レバー２１６を含む上述の増速ギヤ列に伝達されることで拡大されて、エンコーダギヤ２１０の回転量としてフォトインタラプタ１１７で検出される。伝達レバー２１６の上端部近傍には、バネ係止部２１６ｃが突設されている。なお、図２〜５からも明らかなように、伝達レバー２１６は、撮影レンズ２のレンズ側絞りレバー３を駆動する部材である絞り連動レバー３２３とは異なる部材であり、絞り連動レバー３２３に当接されて撮影レンズ２の絞り値を絞り連動レバー３２３の駆動量として絞り機構２００に伝達している。
【００２５】
伝達レバーバネ２１１は、ねじりコイルバネであり、一方の腕が伝達レバー２１６のバネ係止部２１６ｃに係止され、他方の腕が駆動基板２９０に係止されて、伝達レバー２１６を図５において図示時計方向に付勢している。すなわち、伝達レバーバネ２１１は、伝達レバー２１６に一端が当接し、伝達レバー２１６が往復動可能に取り付けられる駆動基板２９０に他端が当接することで、伝達レバー２１６の駆動基板２９０に対する往復動の一方向に伝達レバー２１６を直接付勢している。これにより、伝達レバー２１６の下端部２１６ｂは、伝達レバーバネ２１１によって、絞り連動レバー３２３のレバー当接部３２３ｃの背面側端面と当接するように付勢されている。
【００２６】
リセットレバー２０８は、駆動基板２９０に設けられた軸２９２に回動可能に軸支され、ビス２１５によって抜け止めがなされる（図２，図６（ｂ））。リセットレバー２０８は、ピン２０８ｃがリセットレバー戻しバネ２１４によって押されて、図６（ｂ）において反時計方向に付勢されている。また、リセットレバー２０８にはピン２０８ｂと腕２０８ｅが設けられている。腕２０８ｅの端部には突起部２０８ｄが設けられている。後述するように、突起部２０８ｄは、図６（ｂ）において左右方向に揺動するシーケンス駆動レバー２１８の突起２１８ｃと係合してリセットレバー２０８を右旋させる。なお、図２では、突起部２０８ｄと突起２１８ｃの左右方向の位置がずれているが、実際には、突起部２０８ｄと突起２１８ｃの左右方向の位置は略同じである。図８（ａ），（ｂ）に示すように、リセットレバー２０８の図示時計方向の旋回によって、ピン２０８ｂは係止レバー５０の腕５４をねじりバネ２０６の付勢力に抗して押圧する。
【００２７】
シーケンス駆動レバー２１８は、駆動基板２９０の下端側に設けられた軸２９５に対して回動可能に軸支される（図２）。図９（ａ），（ｂ）は、撮影開始前のシーケンス駆動レバー２１８とカム２２０の回転位相との関係を示す図である。また、図１０（ａ），（ｂ）は、レリーズ後のシーケンス駆動レバー２１８とカム２２０の回転位相との関係を示す図である。図９（ａ）および図１０（ａ）は、シーケンス駆動レバー２１８をカメラの下方から見た図（図２の矢印Ａ方向から見た図）であり、図９（ｂ）および図１０（ｂ）は、シーケンス駆動レバー２１８をカメラの上方から見た図（図２の矢印Ｂ方向から見た図）である。
【００２８】
シーケンス駆動レバー２１８には２つのローラ２１９ａ，２１９ｂが設けられている。カム２２０の回転に応じてローラ２１９ａ，２１９ｂが押圧されると、シーケンス駆動レバー２１８は軸２９５を中心に揺動する。シーケンス駆動レバー２１８には、駆動基板２９０の上方に向かって直立するように設けられた腕２１８ｄ（図２参照）が設けられている。シーケンス駆動レバー２１８の動き、すなわち、カム２２０の動きは、腕２１８ｄの先端部２１８ｂからシャッタチャージレバー３２４および絞り駆動レバー３２５に伝達される。シーケンス駆動レバー２１８には、突起２１８ｃが設けられている。上述のように、突起２１８ｃは、リセットレバー２０８の突起部２０８ｄと係合して、リセットレバー２０８を回動させる。
【００２９】
カム２２０は、駆動基板２９０の軸２９４に回動可能に軸支され、蓋基板２５０により抜け止めがなされている（図２）。カム２２０には、不図示のギヤと噛合するギヤ部２２１と、カム面２２２を形成するカム部２２３とが一体に形成されている。不図示の駆動モータの回転は不図示のギヤを介してカム２２０に伝達される。
【００３０】
−−−シャッタ機構４００−−−
シャッタ機構４００は、シャッタ先幕およびシャッタ後幕の走行によって所定時間だけ被写体像をフィルム５に導く公知の装置である。レリーズボタン４が押圧されると、シャッタ機構４００は、制御回路１０１からの信号に基づいて、先幕および後幕が所定の時間差で走行して、被写体像をフィルム５に導く。また、シャッタ機構４００は、図３に示すように、シャッタチャージレバー３２４が図示反時計方向に駆動されると、シャッタ駆動端３２４ａによってチャージされる。
【００３１】
−−−各部の動作説明−−−
本実施の形態のカメラによる撮像動作について説明する。図９（ａ）は、撮影開始前のシーケンス駆動レバー２１８とカム２２０の状態を示す。カム面２２２がローラ２１９ａを押圧することにより、シーケンス駆動レバー２１８が図示左回転方向に駆動されて停止している。メインミラー３２１はミラーダウン位置となっている。また、シャッタチャージは完了した状態となっている。
【００３２】
撮影開始前、レンズ絞りは開放状態である。すなわち、絞り連動レバー３２３により駆動される伝達レバー２１６は図２において左旋（図５において右旋）した状態であり、図３に示す状態となっている。図６（ａ）に示すように、自己保持型ソレノイド１０は、可動鉄心２０を吸着保持した状態である。係止レバー５０はねじりバネ２０６の付勢力に抗して右旋されて、爪５３とラチェット２０７との係合が解除された状態である。
【００３３】
レリーズボタン４が押圧されると、カム２２０が不図示の駆動モータの回転により、略１８０度左旋して図９（ａ）の状態から図１０（ａ）の状態となって停止する。カム面２２２がローラ２１９ｂを押圧してシーケンス駆動レバー２１８を図示右回転方向に駆動している。このとき、腕２１８ｄがカメラの背面側に移動するので、図７（ｂ）に示すように、腕２１８ｄの下部に設けられた突起２１８ｃがリセットレバー２０８の突起部２０８ｄと係合する。
【００３４】
腕２１８ｄとともに先端部２１８ｂがカメラの背面側に移動するので、ミラーアップバネ３３１の付勢力によってシャッタチャージレバー３２４が図４に示すように右旋される。シャッタチャージレバー３２４の右旋により、シャッタ機構４００のチャージが解除されるとともに、ミラーアップレバー３４２が右旋されてメインミラー３２１がミラーアップされる。
【００３５】
また、レリーズボタン４が押圧されると、絞り込み動作が行われる。すなわち、先端部２１８ｂがカメラの背面側に移動することで絞り駆動レバー３２５が右旋されると、絞り連動レバー３２３は、絞り駆動バネ３２７の付勢力によって旋回を開始して、レンズ絞りを開放状態から絞り込む。絞り連動レバー３２３により駆動される伝達レバー２１６は、伝達レバーバネ２１１の付勢力に抗して図２において右旋（図５において左旋）を開始する。伝達レバー２１６の回動は、上述のように第１増速ギヤ２１３および第２増速ギヤ２１２で増速されて、エンコーダギヤ２１０およびラチェット２０７に伝達される。エンコーダギヤ２１０の回転数は、上述のように、円盤２１０ａに設けられた小穴２１０ｄがフォトインタラプタ１１７を通過することで発生するパルス信号を制御回路１０１によって計測して検出する。これにより、絞り連動レバー３２３の駆動量、すなわちレンズの絞り値は、フォトインタラプタ１１７で発生するパルス信号数で計測できる。
【００３６】
制御回路１０１によって計測されたフォトインタラプタ１１７で発生するパルス信号数が、所望の絞り値に相当する計数値になると、制御回路１０１からの信号に基づいて自己保持型ソレノイド１０の励磁コイルに電圧が印加される。この結果、可動鉄心２０が釈放されて、ねじりバネ２０６による付勢力により係止レバー５０が左旋し、爪５３がラチェット２０７に係合してラチェット２０７の回転を停止させる（図７（ａ））。
【００３７】
上述の絞り制御装置の動作に続き、シャッタ機構４００が作動して撮影動作が行われ、引き続き各部のリセット動作が行われる。以下、リセット動作について説明する。
【００３８】
リセット動作では、不図示の駆動モータの回転により、図１０（ａ）の状態からカム２２０が略１８０度左旋して図９（ａ）の状態に戻って停止する。カム面２２２がローラ２１９ａを押圧することにより、シーケンス駆動レバー２１８は図示左回転方向に駆動されている。このとき、腕２１８ｄがカメラの正面側に移動するが、上述したように、腕２１８ｄの下部に設けられた突起２１８ｃがリセットレバー２０８の突起部２０８ｄと係合しているので（図７（ｂ））、カメラの正面側に移動する腕２１８ｄがリセットレバー２０８を図７（ｂ）に示す状態から図８（ｂ）に示す状態へと右旋させる。このとき、リセットレバー２０８に設けられたピン２０８ｂは係止レバー５０の腕５４をねじりバネ２０６の付勢力に抗して押圧する。押圧された係止レバー５０は、ラチェット２０７を係止している爪５３がラチェット２０７から離れて、拘束していたラチェット２０７の回転を開放する。
【００３９】
係止レバー５０の右旋により、切り欠き部５１に係合している可動鉄心２０は、カメラの正面側に移動されて永久磁石に吸着される。可動鉄心２０が永久磁石に吸着されてカメラ正面方向への移動が停止されると、係止レバー５０は、その右旋が停止される（図８（ａ），（ｂ））。シーケンス駆動レバー２１８はその後も駆動されるので、リセットレバー２０８の腕２０８ｅがたわみ、突起部２０８ｄと突起２１８ｃとの係合が外れる。これにより、リセットレバー２０８はリセットレバー戻しバネ２１４の付勢力によって左旋される。この状態が図６（ａ），（ｂ）に示す状態である。シーケンス駆動レバー２１８は、カム２２０が図９（ａ）に示す位相になるまで駆動されて停止する。
【００４０】
また、リセット動作では、上述のように腕２１８ｄがカメラ正面側に移動するので、先端部２１８ｂもカメラ正面側に移動する。これにより、上述したように、図４に示す状態からシャッタチャージレバー３２４が左旋されることよって、ミラーアップレバー３４２が左旋されるとともに、ミラーダウンバネ３２２がミラー駆動ピン３２１ｂを下方に駆動して、メインミラー３２１をミラーダウン位置まで駆動する。また、シャッタチャージレバー３２４の左旋によって、シャッタ駆動端３２４ａが下方に駆動されてシャッタ機構４００をチャージする。
【００４１】
先端部２１８ｂがカメラ正面側に移動すると、絞り戻しバネ３２８の付勢力で絞り連動レバー３２３および絞り駆動レバー３２５が、図４に示す状態から図３に示す状態となるように左旋されて、レンズ絞りは開放状態となる。絞り連動レバー３２３の左旋によって、レバー当接部３２３ｃの背面側端面は、伝達レバー２１６の下端部２１６ｂから離れる方向に駆動される。伝達レバー２１６は、上述のように伝達レバーバネ２１１によって付勢されているので、絞り連動レバー３２３の左旋に追従して、すなわち、レバー当接部３２３ｃの背面側端面と下端部２１６ｂとが離間しないように旋回される。この結果、伝達レバー２１６は、図３、図６（ｂ）に示す状態に復帰する。以上の動作により、絞り開放動作が完了する。すなわちリセット動作が完了する。
【００４２】
上述した絞り開放動作において、絞り連動レバー３２３の左旋に伝達レバー２１６の左旋が追いつかずに、伝達レバー２１６の下端部２１６ｂがレバー当接部３２３ｃの背面側端面から離間してしまうと、その後、左旋が停止した絞り連動レバー３２３に伝達レバー２１６の左旋が追いついて、レバー当接部３２３ｃの背面側端面に下端部２１６ｂが衝突する。そして、この衝突によって、下端部２１６ｂがレバー当接部３２３ｃの背面側端面に対してバウンドするため、エンコーダギヤ２１０が停止するまでに時間を要する。本実施の形態では、このバウンドを防止するため、伝達レバーバネ２１１の付勢力によって、レバー当接部３２３ｃの背面側端面と伝達レバー２１６の下端部２１６ｂとの離間を防止している。以下の説明では、上述した下端部２１６ｂとレバー当接部３２３ｃの背面側端面とのバウンドをレバーバウンドと呼ぶ。
【００４３】
なお、伝達レバー２１６には、伝達レバーバネ２１１による付勢力の他に、スラック取りバネ２３６による付勢力も作用している。伝達レバーバネ２１１およびスラック取りバネ２３６は、いずれも伝達レバー２１６を図５において図示時計方向（図３において図示反時計方向）に付勢している。したがって、スラック取りバネ２３６だけで、レバーバウンドを防止することも考えられるが、次のような問題がある。
【００４４】
上述した増速ギヤ列の構成により、伝達レバー２１６がわずかに動いてもスラック取りバネ２３６のたわみ角度が大きく変化するため、スラック取りバネ２３６の付勢力も大きく変化する。そのため、スラック取りバネ２３６のバネ定数が高いと、絞り込み動作が進むにつれて増大するスラック取りバネ２３６の付勢力が抵抗となって、絞り込み動作に要する時間が長くなり、連写性能が低下する。ここで、連写性能を低下させないために絞り込み動作の力量を上げると、シーケンス駆動レバー２１８を駆動する駆動モータの高出力化による消費電力増を招く。逆に、スラック取りバネ２３６のバネ定数が低いと、スラック取りバネ２３６から十分な付勢力が得られないため、スラック取りバネ２３６だけではレバーバウンドを防止できない。
【００４５】
そこで、本実施の形態では、伝達レバー２１６に直接当接して付勢力を与える伝達レバーバネ２１１によって、レバーバウンドを防止するように構成している。伝達レバーバネ２１１が伝達レバー２１６に直接当接しているため、伝達レバー２１６が駆動されても、伝達レバーバネ２１１のたわみ角度の変化が小さい。また、伝達レバー２１６の駆動量（旋回量）も少ないので、伝達レバーバネ２１１の付勢力の変化量が小さく、伝達レバー２１６に対する伝達レバーバネ２１１の付勢力が略一定に保たれる。このように、伝達レバーバネ２１１によって、レバーバウンドを防止するように構成することで、スラック取りバネ２３６だけでレバーバウンドを防止する際の問題点を解消するとともに、確実にレバーバウンドを防止できる。
【００４６】
−−−タイミングチャートによる動作タイミングの説明−−−
図１１に示すタイミングチャートを参照して、本実施の形態のカメラによる撮像時の各部の動作タイミングを説明する。レリーズボタン４が押圧されることで、制御回路１０１は、図１１のタイミングチャートに示すタイミングで各部を制御する。レリーズボタン４が押圧されると、チャージされたシャッタ機構４００を保持するように公知のシャッタ先幕マグネットおよびシャッタ後幕マグネットが励磁される（図１１（ｃ），（ｄ））。これと略同時に、駆動モータが駆動される（図１１（ａ））。
【００４７】
上述の絞り込み動作が開始されて、フォトインタラプタ１１７で発生するパルス数が、所望の絞り値に相当する計数値になると（図１１（ｅ））、自己保持型ソレノイド１０の励磁コイルに一定時間電圧が印加される（図１１（ｆ））。駆動モータの回転によりカム２２０が図９（ａ）に示す角度位置から図１０（ａ）に示す角度位置まで駆動されると、駆動モータが停止する（図１１（ａ））。この時点では、メインミラー３２１はミラーアップ位置まで回動されている（図１１（ｂ））。ミラーアップ後、駆動モータが停止されると（図１１（ａ））、シャッタ先幕マグネットおよびシャッタ後幕マグネットへの通電が停止される（図１１（ｃ），（ｄ））。これにより、まずシャッタ先幕が、次いでシャッタ後幕が走行し、露光が行われる。
【００４８】
後幕がフィルム５の撮像領域を完全に遮光し、走行完了するまでに要する時間だけ待機した後、駆動モータ１２２は再び駆動される（図１１（ａ））。駆動モータ１２２の回転によりカム２２０が図１０（ａ）に示す角度位置から図９（ａ）に示す角度位置まで駆動されると、駆動モータが停止する（図１１（ａ））。そして次の撮影のスタンバイ状態となる。なお、上述の説明では、フィルム５の給送に関する動作も行われるが、図１１では図示を省略している。
【００４９】
上述した本実施の形態と異なり、レバーバウンドを防止しなかった場合、リセット動作が完了した後も、レバーバウンドが収束するまでエンコーダギヤ２１０が回転方向を交互に変えながら回転し続ける。このため、連続撮影を行う際に、前のコマの撮像によって発生したレバーバウンドが収束する前に次のコマのレリーズ動作が開始されてしまうことがある。すなわち、図１２（ｅ）に示すように、リセット動作が完了した後もレバーバウンドに起因するパルス信号がフォトインタラプタ１１７から発生し続ける。図１２（ｅ）の符号６０１は、レバーバウンドに起因するパルス信号である。この状態で次のコマのレリーズ動作が開始されると、制御回路１０１は、絞り駆動レバー３２５および絞り連動レバー３２３が旋回を開始する前のレバーバウンドに起因するパルス６０１も絞り制御のためのパルス数として計数してしまう。このため、撮影レンズ２の絞りが適正絞り値まで絞り込まれる前にラチェット２０７が係止されてしまい、適正絞り値まで撮影レンズ２の絞りを絞り込むことができない。
【００５０】
上述した本発明によるカメラの絞り機構を適用したカメラでは、次の作用効果を奏する。
（１）  絞り連動レバー３２３に当接されて撮影レンズ２の絞りの状態を絞り機構２００に伝達する伝達レバー２１６に対して、伝達レバー２１６に当接する伝達レバーバネ２１１によって、絞り連動レバー３２３に付勢する付勢力を与えるように構成した。これにより、伝達レバー２１６の下端部２１６ｂと、絞り連動レバー３２３のレバー当接部３２３ｃの背面側端面との離間と衝突により生じるバウンドを防止できるので、絞り込み動作および復帰動作における消費電力を増加させることなく、撮影のコマ速を上げることができる。
【００５１】
（２）  伝達レバーバネ２１１を伝達レバー２１６に当接するように配設して、伝達レバー２１６の下端部２１６ｂと、絞り連動レバー３２３のレバー当接部３２３ｃの背面側端面との離間と衝突により生じるバウンドを防止するように構成した。これにより、上述したようなスラック取りバネ２３６だけでレバーバウンドを防止する際の問題点を解消して、確実にレバーバウンドを防止できるので、絞り込み精度の高い絞り機構およびカメラを提供できる。
【００５２】
（３）  一端が伝達レバー２１６に当接し、他端が伝達レバー２１６が往復動可能に取り付けられる駆動基板２９０に当接する伝達レバーバネ２１１によって、伝達レバー２１６の駆動基板２９０に対する往復動の一方向に伝達レバー２１６を直接付勢するように構成した。これにより、伝達レバー２１６の角度位置変化に対する伝達レバーバネ２１１のたわみ角度の変化を小さくできるので、伝達レバーバネ２１１の付勢力の変化量が小さく、伝達レバー２１６に対する伝達レバーバネ２１１の付勢力が略一定に保たれる。したがって、簡単な機構で確実にレバーバウンドを防止できるので、従来の絞り機構に対する設計変更がわずかであり、製造コスト増を抑制できる。
【００５３】
−−−変形例−−−
（１）  上述の説明では、リセット動作の際に、レバー当接部３２３ｃの背面側端面と伝達レバー２１６の下端部２１６ｂとが離間しないように、伝達レバー２１６を伝達レバーバネ２１１で付勢しているが、本発明はこれに限定されない。リセット動作の際に、レバー当接部３２３ｃの背面側端面と下端部２１６ｂとがわずかに離間しても、その後の絞り制御に悪影響が無ければよい。すなわち、レバー当接部３２３ｃの背面側端面と下端部２１６ｂとの離間は、絞り制御に悪影響を及ぼさない範囲で許容される。したがって、伝達レバーバネ２１１が伝達レバー２１６を付勢することで、絞り制御に悪影響を及ぼさないようにレバー当接部３２３ｃの背面側端面と下端部２１６ｂとの離間が抑制されればよく、上述の説明による伝達レバーバネ２１１の付勢力より弱くてもよい。
【００５４】
（２）  上述の説明では、伝達レバーバネ２１１はねじりコイルバネであったが、本発明はこれに限定されない。たとえば、板バネなど他の種類のバネを用いて、一端が伝達レバー２１６に係止され、他端が駆動基板２９０に係止されるように構成してもよい。
（３）  上述した各実施の形態および変形例は、それぞれ組み合わせてもよい。
【００５５】
以上の実施の形態およびその変形例において、たとえば、絞り駆動部材は絞り連動レバー３２３に、検出手段はフォトインタラプタ１１７に、伝達部材は伝達レバー２１６に、付勢部材は伝達レバーバネ２１１にそれぞれ対応する。なお、以上の説明はあくまで一例であり、発明を解釈する際、上記の実施形態の記載事項と特許請求の範囲の記載事項の対応関係になんら限定も拘束もされない。
【図面の簡単な説明】
【００５６】
【図１】本発明によるカメラの絞り機構を適用したカメラである一眼レフタイプのカメラボディ１とカメラボディ１に装着する撮影レンズ２を示した斜視図である。
【図２】カメラボディ１に組み込まれるミラーボックス、絞り機構、およびシャッタ機構を示す分解図である。
【図３】撮影開始前の状態（ミラーダウン状態）におけるミラーボックスおよびシャッタ機構を側面から見た図である。
【図４】レリーズ後の状態（ミラーアップ状態）におけるミラーボックスおよびシャッタ機構を側面から見た図である。
【図５】絞り機構２００を示す斜視図である。
【図６】カメラボディ１の左側から右側に向かって見たときの制御基板２３０の構造を示す図であり、（ａ）は制御基板２３０の側面を示し、（ｂ）は駆動基板２９０の左側側面を示す。
【図７】カメラボディ１の左側から右側に向かって見たときの制御基板２３０の構造を示す図であり、（ａ）は制御基板２３０の側面を示し、（ｂ）は駆動基板２９０の左側側面を示す。
【図８】カメラボディ１の左側から右側に向かって見たときの制御基板２３０の構造を示す図であり、（ａ）は制御基板２３０の側面を示し、（ｂ）は駆動基板２９０の左側側面を示す。
【図９】撮影開始前のシーケンス駆動レバー２１８とカム２２０の回転位相との関係を示す図であり、（ａ）は、シーケンス駆動レバー２１８をカメラの下方から見た図であり、（ｂ）は、シーケンス駆動レバー２１８をカメラの上方から見た図である。
【図１０】レリーズ後のシーケンス駆動レバー２１８とカム２２０の回転位相との関係を示す図であり、（ａ）は、シーケンス駆動レバー２１８をカメラの下方から見た図であり、（ｂ）は、シーケンス駆動レバー２１８をカメラの上方から見た図である。
【図１１】本実施の形態のカメラによる撮像時の各部の動作タイミングを示すタイミングチャートである。
【図１２】従来のカメラによる撮像時の各部の動作タイミングを示すタイミングチャートである。
【符号の説明】
【００５７】
１  カメラボディ                            ２  撮影レンズ
３  レンズ側絞りレバー                      １０  自己保持型ソレノイド
２０  可動鉄心                              １０１  制御回路
１１７  フォトインタラプタ                  ２００  絞り機構
２０７  ラチェット                          ２０８  リセットレバー
２１０  エンコーダギヤ                      ２１１  伝達レバーバネ
２１２  第２増速ギヤ                        ２１３  第１増速ギヤ
２１６  伝達レバー                          ２１６ｂ  下端部
２１８  シーケンス駆動レバー                ２１８ｂ  先端部
２２０  カム                                ２３０  制御基板
２３５  スラック取りギヤ                    ２３６  スラック取りバネ
２９０  駆動基板                            ３００  ミラーボックス
３２１  メインミラー                        ３２２  ミラーダウンバネ
３２３  絞り連動レバー                      ３２３ｃ  レバー当接部
３２４  シャッタチャージレバー              ３２５  絞り駆動レバー
３３１  ミラーアップバネ                    ３４２  ミラーアップレバー
４００  シャッタ機構
【図１】
2006227524.tif 000003
【図２】
2006227524.tif 000004
【図３】
2006227524.tif 000005
【図４】
2006227524.tif 000006
【図５】
2006227524.tif 000007
【図６】
2006227524.tif 000008
【図７】
2006227524.tif 000009
【図８】
2006227524.tif 000010
【図９】
2006227524.tif 000011
【図１０】
2006227524.tif 000012
【図１１】
2006227524.tif 000013
【図１２】
2006227524.tif 000014